【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
入力画像に対して基準画像の階調特性に応じた階調補正を行う画像処理装置であって、
平坦なヒストグラム画像から前記基準画像のヒストグラムの形状を得るための第１の階調補正条件を求める手段と、
前記入力画像のヒストグラムを求める手段と、
前記入力画像のヒストグラムの形状を平坦に変更するための第２の階調補正条件を求める手段と、
前記入力画像に対して前記第２の階調補正条件で階調補正を行い、前記第１の階調補正条件を用いて階調補正を行う手段とを有することを特徴とする画像処理装置。
【請求項２】
前記第１の階調補正条件を求める手段は、前記基準画像のヒストグラムの形状を平坦に変更するための第３の階調補正条件を求め、前記第３の階調補正条件の逆変換を行う階調補正条件を求めて、前記求められた階調補正条件を前記第１の階調補正条件とすることを特徴とする請求項１に記載の画像処理装置。
【請求項３】
前記第１の階調補正条件を求める手段は、複数の異なる基準画像の各々に対応する複数の第１の階調補正条件を保持し、前記保持されている複数の第１の階調補正条件から1つの第１の階調補正条件を選択することを特徴とする請求項１に記載の画像処理装置。
【請求項４】
前記階調補正を行う手段は、前記第２の階調補正条件と前記第１の階調補正条件を合成し、得られた階調補正条件を用いて、前記入力画像に対して階調補正を行うことを特徴とする請求項１に記載の画像処理装置。
【請求項５】
前記入力画像は医療画像であり、前記前記基準画像は、前記入力画像と同一の部位を示すことを特徴とする請求項１〜４のいずれか１項に記載の画像処理装置。
【請求項６】
前記入力画像は放射線画像であることを特徴とする請求項１〜４のいずれか１項に記載の画像処理装置。
【請求項７】
前記入力画像は、異なる条件で得られた複数の画像から求められることを特徴とする請求項１〜４のいずれか１項に記載の画像処理装置。
【請求項８】
前記入力画像は、Ｘ線のエネルギー分布を変化させて同一被写体を撮影することにより得られた複数の画像から求められるエネルギーサブトラクション画像であることを特徴とする請求項７に記載の画像処理装置。
【請求項９】
前記入力画像は、被写体の時間的な変動の差分を求める時間サブトラクション画像であるであることを特徴とする請求項７に記載の画像処理装置。
【請求項１０】
入力画像に対して基準画像の階調特性に応じた階調補正を行う画像処理方法であって、
平坦なヒストグラム画像から前記基準画像のヒストグラムの形状を得るための第１の階調補正条件を求めるステップと、
前記入力画像のヒストグラムを求めるステップと、
前記入力画像のヒストグラムの形状を平坦に変更するための第２の階調補正条件を求めるステップと、
前記入力画像に対して前記第２の階調補正条件で階調補正を行い、前記第１の階調補正条件を用いて階調補正を行うステップとを有することを特徴とする画像処理方法。
【請求項１１】
前記第１の階調補正条件を求めるステップは、前記基準画像のヒストグラムの形状を平坦に変更するための第３の階調補正条件を求め、前記第３の階調補正条件の逆変換を行う階調補正条件を求めて、前記求められた階調補正条件を前記第１の階調補正条件とすることを特徴とする請求項１０に記載の画像処理方法。
【請求項１２】
前記第１の階調補正条件を求めるステップは、複数の異なる基準画像の各々に対応する複数の第１の階調補正条件を保持し、前記保持されている複数の第１の階調補正条件から1つの第１の階調補正条件を選択することを特徴とする請求項１０に記載の画像処理方法。
【請求項１３】
前記階調補正を行うステップは、前記第２の階調補正条件と前記第１の階調補正条件を合成し、得られた階調補正条件を用いて、前記入力画像に対して階調補正を行うことを特徴とする請求項１０に記載の画像処理方法。
【請求項１４】
前記入力画像は、異なる条件で得られた複数の画像から求められることを特徴とする請求項１０〜１３のいずれか１項に記載の画像処理方法。
【請求項１５】
前記入力画像は、Ｘ線のエネルギー分布を変化させて同一被写体を撮影することにより得られた複数の画像から求められるエネルギーサブトラクション画像であることを特徴とする請求項１４に記載の画像処理方法。
【請求項１６】
前記入力画像は、被写体の時間的な変動の差分を求める時間サブトラクション画像であるであることを特徴とする請求項１４に記載の画像処理方法。
【請求項１７】
入力画像に対して基準画像の階調特性に応じた階調補正を行うためのコンピュータプログラムを記憶するコンピュータ読み取り可能な記録媒体であって、
平坦なヒストグラム画像から前記基準画像のヒストグラムの形状を得るための第１の階調補正条件を求める処理と、
前記入力画像のヒストグラムを求める処理と、
前記入力画像のヒストグラムの形状を平坦に変更するための第２の階調補正条件を求める処理と、
前記入力画像に対して前記第２の階調補正条件で階調補正を行い、前記第１の階調補正条件を用いて階調補正を行う処理とをコンピュータに実行させるコンピュータプログラムを記憶したことを特徴とするコンピュータ読み取り可能な記憶媒体。
【手続補正２】
【補正対象書類名】明細書
【補正対象項目名】００１２
【補正方法】変更
【補正の内容】
【００１２】
【課題を解決するための手段】
本発明による画像処理装置においては、入力画像に対して基準画像の階調特性に応じた階調補正を行う画像処理装置であって、平坦なヒストグラム画像から前記基準画像のヒストグラムの形状を得るための第１の階調補正条件を求める手段と、前記入力画像のヒストグラムを求める手段と、前記入力画像のヒストグラムの形状を平坦に変更するための第２の階調補正条件を求める手段と、前記入力画像に対して前記第２の階調補正条件で階調補正を行い、前記第１の階調補正条件を用いて階調補正を行う手段とを有する。
【手続補正３】
【補正対象書類名】明細書
【補正対象項目名】００１３
【補正方法】変更
【補正の内容】
【００１３】
本発明による画像処理方法においては、入力画像に対して基準画像の階調特性に応じた階調補正を行う画像処理方法であって、平坦なヒストグラム画像から前記基準画像のヒストグラムの形状を得るための第１の階調補正条件を求めるステップと、前記入力画像のヒストグラムを求めるステップと、前記入力画像のヒストグラムの形状を平坦に変更するための第２の階調補正条件を求めるステップと、前記入力画像に対して前記第２の階調補正条件で階調補正を行い、前記第１の階調補正条件を用いて階調補正を行うステップとを有する。
【手続補正４】
【補正対象書類名】明細書
【補正対象項目名】００１４
【補正方法】変更
【補正の内容】
【００１４】
本発明によるコンピュータ読み取り可能な記憶媒体においては、入力画像に対して基準画像の階調特性に応じた階調補正を行うためのコンピュータプログラムを記憶するコンピュータ読み取り可能な記録媒体であって、平坦なヒストグラム画像から前記基準画像のヒストグラムの形状を得るための第１の階調補正条件を求める処理と、前記入力画像のヒストグラムを求める処理と、前記入力画像のヒストグラムの形状を平坦に変更するための第２の階調補正条件を求める処理と、前記入力画像に対して前記第２の階調補正条件で階調補正を行い、前記第１の階調補正条件を用いて階調補正を行う処理とをコンピュータに実行させるコンピュータプログラムを記憶している。